(57)【要約】【課題】消費者の吸引力や好奇心を引き起こす、画面を変換可能な時計面／腕時計面を提供する。【解決手段】図板層１０と、現像板３０と、駆動装置４０とを備える。図板層１０は時計面／腕時計面２１上に跨り、複数の図区１１、１２を形成し、各図区１１、１２は複数の條状区域で構成され、各図区１１、１２の各條状区域上には一つの図形を構成する図素が絵作される。現像板３０は図板層１０の外側に置かれ、現像板３０の一面に複数の折射部３１が設けられる。駆動装置４０は図板層１０を連動して往復移動させ、一つ毎に図区１１或いは１２の各條状区域を組成する。駆動装置４０が移動して投影が現像板３０の各折射部３１に対正した時、各條状区域上の図素を折射して拡大し、現像板３０上に一つの図形を組成する。その他の図区１２或いは１１を組成した各條状区域の図素は、折射部３１に対正していないので、折射されて縮小され視覚上では隠蔵される。【選択図】図１
0003120363.tif 000002
【実用新案登録請求の範囲】
【請求項１】
一つの図板層と、一つの現像板と、一つの駆動装置とを備える、画面を変換可能な時計面／腕時計面であって、
前記図板層は時計面／腕時計面上に跨り、図板層上に複数の図区が形成され、各図区は等距離で且つ平行に互いに配列されたいくつかの條状区域に依って構成され、前記各図区の各條状区域上には一つの完全の図形を構成するその中の一部分の図素が絵作され、
前記現像板は前記図板層の外側に置かれ、前記現像板の一側板面上には平行で並列状の複数の折射部が設けられ、
前記駆動装置は連動的に往復で前記図板層を移動させ、一つ毎に図区の各條状区域を組成し、前記駆動装置が移動して投影が前記現像板の各折射部に対正した時には、前記各條状区域上に絵作された図素を折射して拡大し、現像板上に一つの完全なる図形を組成し、他の図区を組成した各條状区域の図素は前記折射部に投影されて対正していないことにより、折射されて縮小され、視覚上で隠蔵され、時計面／腕時計面の図形を変換する視覚効果を生ずることを特徴とする画面を変換可能な時計面／腕時計面。
【請求項２】
前記図板層は、外縁に多数のガイド槽が設けられ、対応して一つの時計／腕時計の殻体のガイド棒の中に固定されてはめ置かれ、前記図板層を各ガイド棒にしたがって線性の滑り移動させることを特徴とする請求項１記載の画面を変換可能な時計面／腕時計面。
【請求項３】
前記現像板の外縁には突き耳が突設されて通し孔があり、ネジで時計／腕時計の殻体上に締め止めることを特徴とする請求項１記載の画面を変換可能な時計面／腕時計面。
【請求項４】
前記駆動装置は、一つの電池電源を有し、一つの穏圧回路が連接した後に駆動モーターを感応作動させて回転させ、連動で一つのギア変速箱の中のギア系を駆動し、前記ギア変速箱の出力回転軸上に偏心に一つのカムをはめ接し、前記カムを丁度よく前記図板層の一つの従動ガイド槽の中に差し込むことを特徴とする請求項１記載の画面を変換可能な時計面／腕時計面。
【考案の詳細な説明】
【技術分野】
【０００１】
本考案は画面を変換可能な時計面／腕時計面に関し、特に反覆して時計面／腕時計面上の図案を変換させることができる時計面／腕時計面に関する。
【背景技術】
【０００２】
私達が日常生活で使用している時計或いは腕時計は、通常は単純に単一色の素面状で、その上には時間刻度或いは数字があるが、この様な単調な時計面或いは腕時計面は、実に、消費者に対して吸引力がない。
現在、時計の時計面、或いは腕時計の腕時計面上には、あるメーカーが時計面／腕時計面の美観を増加させるために色彩或いは図案をつけたり印刷したりしていると雖も、この色彩又は図案は、皆一つの種類だけであるので、使用者が長期に使用した後では、これに対する吸引力は下がる。又、消費者の好奇心を引きおこすことができない。
【考案の開示】
【考案が解決しようとする課題】
【０００３】
上記のように、従来の時計の時計面或いは腕時計の腕時計面には、一種の色彩や図案があるだけであって、消費者が長期使用した後では、吸引力、好奇心を引きおこすことができないという欠点がある。
【課題を解決するための手段】
【０００４】
本考案は上記の点を解決するためになされたものであり、一つの図板層と、一つの現像板及び一つの駆動装置を含む一種の画面を変換可能な時計面／腕時計面を提供して、時計、腕時計の応用上の趣味性、或いは消費者の吸引力を増加させることができる。
【考案を実施するための最良の形態】
【０００５】
以下、図面に従って本考案の実施例を説明する。
図１〜図１１に示すように、本考案の一実施例による画面を変換可能な時計面／腕時計面は、次のものを含む。一つの図板層１０は時計／腕時計２０の時計面／腕時計面区２１の上に跨って置かれていて、該図板層１０上で複数の図区１１、１２を形成し、各該図区１１、１２は等距離で且つ平行に互いに配列されたいくつかの條状区域１１１、１２１によって構成されていて、且つ各該図区１１、１２の各條状区域１１１、１２１上に、一つの完全の図形を構成するその中の一部分の図素１１０、１２０が絵作されて組成している。一つの現像板３０は、該図板層１０の外側に置かれていて、該現像板３０の一側板面上には、平行で並列状のいくつかの折射部３１が設けられている。一つの駆動装置４０は、連動的に往復で該図板層１０を移動させて、一つ毎に図区１１或いは１２の各條状区域１１１、１２１を組成する。該駆動装置４０が移動して、投影が該現像板３０の各折射部３１に対正した時には、該各條状区域１１１、１２１上に絵作された図素１１０、１２０を折射しそして拡大して、現像板３０上に一つの完全なる図形を組成する。その他の図区１２或いは１１を組成した各條状区域１２１或いは１１１の図素１２０或いは１１０は、該折射部３１に投影されて対正していないので、折射されて縮小され、これによって、視覚上では隠蔵されて、時計面／腕時計面の図形を変換する視覚効果を生ずる。
【０００６】
上記の現像板３０の各折射部３１は、一つの拱状或いは三角形の断面にすることができ、本実施例ではこれを制限しない。
図１、図７、図９に示した本実施例では、その中の該図板層１０は、その外縁に多数のガイド槽１３が設けられていて、対応して一本の時計／腕時計２０の殻体に固定されたガイド棒２２の中にはめ込まれている。これにより、該図板層１０は各該ガイド棒２２にしたがって線性滑り移動をすることができる。
【０００７】
本実施例の画面を変換可能な時計面／腕時計面の中の現像板３０は、透明の材料で製作されている。例えば透明プラスチック板、或いはガラス等であって、本実施例ではその製作材料に対しては制限をしない。該現像板３０の外縁には突き耳３２が突設されていて、並びに通し孔３２１が設けられている。これによって、ネジで時計／腕時計２０の殻体上に締め止めることができる。
【０００８】
図１、図７、図９、図１１に示したように、本実施例の駆動装置４０は、一つの電池電源４１を含んでいる。一つの穏圧回路４２と連接した後に、感応で一つの駆動モーター４３を作動させて回転させ、連動で一つのギア変速箱４４の中のギア系を駆動し、並びに該ギア変速箱４４の出力回転軸４４１上に、偏心的に一つのカム４５をはめ止める。そして、該カム４５を丁度よく該図板層１０の一つの従動ガイド槽１４の中に差し込む。これでカム４５の回転によって、該図板層１０を連動して直線の往復移動をさせる。
【０００９】
本実施例の画面を変換可能な時計面／腕時計面の作動原理は次のとおりである。図２、図３、図４、図５、図６に示すように、該図板層１０の中の各該図区１１或いは１２は、等距離で尚且つ平行に互いに配列されたいくつかの條状区域１１１、１２１によって構成されていて、尚且つ各該図区１１、１２の各條状区域１１１、１２１上に、一つの完全な図形を構成する組成のその中の一部分の図素１１０、１２０が絵作されている。例えば、図２に示すように、その中の第一個の図区１１が構成する“Ａ”の図素１１０は、第一組の各該條状区域１１１上に分布している。そして、第二個の図区１２が構成する“Ｆ”の図素１２０は、第二組の各該條状区域１２１上に分布している。これで“Ａ”図素１１０の構成と、“Ｆ”図素１２０の構成の絵作は互いに並行であって、但し投影でかさねない。このように、図板層１０が駆動装置４０に駆動されて、該現像板３０と往復の相対移動を発生した時では、現像板３０上の各折射部３１が投影して対正した図素１１０或いは１２０は拡大されて現像する。逆の場合は、縮小されて隠蔵される。図３、図４、図１１に示したように、駆動装置４０が連動して、第一個の図区１１の中にある図素１１０が投影で現像板３０上の各折射部３１に対正するのを構成した時には、各折射部３１は、折射作用によって各図素１１０を拡大する。これで現像板３０上に該図素１１０が組成した図形を現像する。即ち“Ａ”の図形を現像し、これは図３に示す如しである。そして、第二個図区１２の各図素１２０は、この時では、折射作用によって、逆に縮小して隠蔵されて消える、或いは不明瞭状態になる。図５、図６、図１１に示すように、駆動装置４０が連動で第二個の図区１２の中にある図素１２０を投影で現像板３０上の各折射部３１に対正するのを構成した時では、各折射部３１は折射作用によって、各図素１２０を拡大する。即ち、現像板３０の上に該図素１２０が組成した図形、即ち“Ｆ”の図形を顕示し、これは図５に示す如しである。そして、第一個の図区１１の各図素１１０は、この時、折射作用によって、逆に縮小されて隠蔵され消える、或いは不明瞭の状態になる。このように、駆動装置４０による該図板層１０の往復の連動移動によって、該現像板３０上に反覆して図案を変換する視覚の効果を発生させることができる。
【００１０】
応用上では、該図板層１０の上の各図区１１、１２は、文字或いは図１に示した如しの犬等の動物図形、或いは風景、人物等にすることができ、本実施例ではこれを制限しない。
本実施例の画面を変換可能な時計面／腕時計面は、時計／腕時計２０上の図板層１０の往復移動によって、反覆して、現像板３０上に顕示された図案を変換し、時計／腕時計２０の時計面／腕時計面の画面を常に変換することができるので趣味性があって、新穎性及び実用性がある。
本考案の構想、形状を一部変更した後に生じた効果、作用が本明細書と図面を含む範囲である場合は、すべて本考案の範囲に属することは当然である。
【図面の簡単な説明】
【００１１】
【図１】本考案の実施例による画面を変換可能な時計面／腕時計面を部分的に分解した状態を示す模式図である。
【図２】本考案の実施例による画面を変換可能な時計面／腕時計面の図板層の図素分布構造を示す模式図である。
【図３】本考案の画面を変換可能な時計面／腕時計面の図板層の第一個の図区が構成した図案を示す模式図である。
【図４】本考案の画面を変換可能な時計面／腕時計面の現像板が顕示する第一個の図区が構成した図案の位置を示す模式図である。
【図５】本考案の画面を変換可能な時計面／腕時計面の図板層の第二個の図区が構成した図案を示す模式図である。
【図６】本考案の画面を変換可能な時計面／腕時計面の現像板が顕示する第二個の図区が構成した図案の位置を示す模式図である。
【図７】本考案の実施例による画面を変換可能な時計面／腕時計面の平面構造並びに第一種の影像を示す模式図である。
【図８】本考案の実施例による画面を変換可能な時計面／腕時計面の時計面を示す斜視図である。
【図９】本考案の実施例による画面を変換可能な時計面／腕時計面の平面構造並びに第二種の影像を示す模式図である。
【図１０】本考案の実施例による画面を変換可能な時計面／腕時計面の時計面を示す斜視図である。
【図１１】本考案の実施例による画面を変換可能な時計面／腕時計面の駆動装置を示す模式図である。
【符号の説明】
【００１２】
１０  図板層、１１  図区、１２  図区、１３  ガイド槽、１４  従動ガイド槽、２０  時計／腕時計、２１  時計面／腕時計面、２２ガイド棒、３０  現像板、３１  折射部、３２  突き耳、４０  駆動装置、４１  電池電源、４２  穏圧回路、４３  駆動モーター、４４  ギア変速箱、、４５  カム、１１０  図素、１１１  條状区域、１２０  図素、１２１  條状区域、３２１  通し孔、４４１  出力回転軸
【図１】
0003120363.tif 000003
【図２】
0003120363.tif 000004
【図３】
0003120363.tif 000005
【図４】
0003120363.tif 000006
【図５】
0003120363.tif 000007
【図６】
0003120363.tif 000008
【図７】
0003120363.tif 000009
【図８】
0003120363.tif 000010
【図９】
0003120363.tif 000011
【図１０】
0003120363.tif 000012
【図１１】
0003120363.tif 000013